(57)【要約】【課題】通信回線が冗長化された伝送システムにおいて、送信側伝送装置の障害発生に起因する通信断を抑制すること。【解決手段】送信側伝送装置は、送信順序を示す順序識別子を入力信号の各フレームに付加する順序識別子付加部と、前記入力信号に前記順序識別子が付加された自系送信信号を他系の前記送信側伝送装置へ送信する送信信号転送部と、前記自系送信信号と前記他系の前記送信側伝送装置から受信した他系送信信号とのうち、いずれか一の送信信号を選択する送信信号選択部と、前記送信信号選択部が選択した送信信号を自系の前記通信回線へ送信する送信部と、自系又は他系の前記送信側伝送装置の障害内容に応じた送信信号選択設定を前記送信信号選択部に行う制御部と、を備える。【選択図】図１
2020061683.tif 000002
【特許請求の範囲】
【請求項１】
通信回線が冗長化された伝送システムにおいて、
前記通信回線の各々に対応して設けられる送信側伝送装置及び受信側伝送装置を備え、
各前記送信側伝送装置には同じ入力信号が入力され、
前記送信側伝送装置は、
送信順序を示す順序識別子を前記入力信号の各フレームに付加する順序識別子付加部と、
前記入力信号に前記順序識別子が付加された自系送信信号を他系の前記送信側伝送装置へ送信する送信信号転送部と、
前記自系送信信号と前記他系の前記送信側伝送装置から受信した他系送信信号とのうち、いずれか一の送信信号を選択する送信信号選択部と、
前記送信信号選択部が選択した送信信号を、自系の前記通信回線へ送信する送信部と、
自系又は他系の前記送信側伝送装置の障害内容に応じた送信信号選択設定を前記送信信号選択部に行う制御部と、を備え、
前記受信側伝送装置は、
自系の前記通信回線から受信した自系受信信号を他系の前記受信側伝送装置へ送信する受信信号転送部と、
前記自系受信信号と前記他系の前記受信側伝送装置から受信した他系受信信号との各前記順序識別子に基づいたフレーム受信時刻差を解消させるように、前記自系受信信号又は前記他系受信信号を遅延させる遅延付加部と、
前記遅延付加部から出力された前記自系受信信号と前記他系受信信号とのうち、非障害状態である一の系の受信信号を選択する受信信号選択部と、
前記受信信号選択部が選択した受信信号を出力する受信信号出力部と、を備える、
伝送システム。
【請求項２】
前記送信側伝送装置は、
映像の前記入力信号を受信して前記順序識別子を前記入力信号の各フレームに付加するビデオインタフェースと、
前記自系送信信号と前記他系送信信号とが入力されていずれか一の送信信号を出力するスイッチと、
前記スイッチから出力された送信信号を自系の前記通信回線へ送信する第１回線インタフェースと、
前記自系送信信号を他系の前記送信側伝送装置へ送信する第２回線インタフェースと、を備える、
請求項１に記載の伝送システム。
【請求項３】
冗長化された通信回線のうち一の前記通信回線に接続される送信側伝送装置において、
送信順序を示す順序識別子を入力信号の各フレームに付加する順序識別子付加部と、
前記入力信号に前記順序識別子が付加された自系送信信号を他系の前記送信側伝送装置へ送信する送信信号転送部と、
前記自系送信信号と前記他系の前記送信側伝送装置から受信した他系送信信号とのうち、いずれか一の送信信号を選択する送信信号選択部と、
前記送信信号選択部が選択した送信信号を、自系の前記通信回線へ送信する送信部と、
自系又は他系の前記送信側伝送装置の障害内容に応じた送信信号選択設定を前記送信信号選択部に行う制御部と、
を備える伝送装置。
【請求項４】
通信回線が冗長化された伝送システムの伝送方法であって、
前記通信回線の各々に対応して設けられる送信側伝送装置及び受信側伝送装置を備え、
各前記送信側伝送装置には同じ入力信号が入力され、
前記送信側伝送装置が、送信順序を示す順序識別子を前記入力信号の各フレームに付加する順序識別子付加ステップと、
前記送信側伝送装置が、前記入力信号に前記順序識別子が付加された自系送信信号を他系の前記送信側伝送装置へ送信する送信信号転送ステップと、
前記送信側伝送装置が、前記自系送信信号と前記他系の前記送信側伝送装置から受信した他系送信信号とのうち、いずれか一の送信信号を選択する送信信号選択ステップと、
前記送信側伝送装置が、前記送信信号選択ステップが選択した送信信号を、自系の前記通信回線へ送信する送信ステップと、
前記送信側伝送装置が、自系又は他系の前記送信側伝送装置の障害内容に応じた送信信号選択設定を前記送信信号選択ステップに行う制御ステップと、
前記受信側伝送装置が、自系の前記通信回線から受信した自系受信信号を他系の前記受信側伝送装置へ送信する受信信号転送ステップと、
前記受信側伝送装置が、前記自系受信信号と前記他系の前記受信側伝送装置から受信した他系受信信号との各前記順序識別子に基づいたフレーム受信時刻差を解消させるように、前記自系受信信号又は前記他系受信信号を遅延させる遅延付加ステップと、
前記受信側伝送装置が、前記遅延付加ステップから出力された前記自系受信信号と前記他系受信信号とのうち、非障害状態である一の系の受信信号を選択する受信信号選択ステップと、
前記受信側伝送装置が、前記受信信号選択ステップが選択した受信信号を出力する受信信号出力ステップと、
を含む伝送方法。
【発明の詳細な説明】
【技術分野】
【０００１】
本発明は、伝送システム、伝送装置及び伝送方法に関する。
【背景技術】
【０００２】
従来より、通信回線が二重化された伝送システムが知られている。（例えば、特許文献１参照）。従来の伝送システムでは、一の送信側伝送装置が同じ送信信号を現用系及び予備系の各通信回線へ送信する。一の受信側伝送装置は、現用系の通信回線に障害が発生した場合、自装置から出力する受信信号を、現用系の通信回線の受信信号から予備系の通信回線の受信信号に切り替える。
【先行技術文献】
【特許文献】
【０００３】
【特許文献１】特許第６２９０１２３号公報
【発明の概要】
【発明が解決しようとする課題】
【０００４】
上述した従来の伝送システムでは、現用系の通信回線の障害発生時には、現用系の通信回線の受信信号から予備系の通信回線の受信信号に切り替えることにより、当該伝送システムにおける通信断を防止することができる。しかしながら、送信側伝送装置に障害が発生した場合、当該送信側伝送装置を交換したり又は修理したりする間の期間は、当該伝送システムにおいて通信断になる可能性があった。
【０００５】
本発明は、このような事情を考慮してなされたものであり、その目的は、通信回線が冗長化された伝送システムにおいて、送信側伝送装置の障害発生に起因する通信断を抑制することにある。
【課題を解決するための手段】
【０００６】
（１）本発明の一態様は、通信回線が冗長化された伝送システムにおいて、前記通信回線の各々に対応して設けられる送信側伝送装置及び受信側伝送装置を備え、各前記送信側伝送装置には同じ入力信号が入力され、前記送信側伝送装置は、送信順序を示す順序識別子を前記入力信号の各フレームに付加する順序識別子付加部と、前記入力信号に前記順序識別子が付加された自系送信信号を他系の前記送信側伝送装置へ送信する送信信号転送部と、前記自系送信信号と前記他系の前記送信側伝送装置から受信した他系送信信号とのうち、いずれか一の送信信号を選択する送信信号選択部と、前記送信信号選択部が選択した送信信号を、自系の前記通信回線へ送信する送信部と、自系又は他系の前記送信側伝送装置の障害内容に応じた送信信号選択設定を前記送信信号選択部に行う制御部と、を備え、前記受信側伝送装置は、自系の前記通信回線から受信した自系受信信号を他系の前記受信側伝送装置へ送信する受信信号転送部と、前記自系受信信号と前記他系の前記受信側伝送装置から受信した他系受信信号との各前記順序識別子に基づいたフレーム受信時刻差を解消させるように、前記自系受信信号又は前記他系受信信号を遅延させる遅延付加部と、前記遅延付加部から出力された前記自系受信信号と前記他系受信信号とのうち、非障害状態である一の系の受信信号を選択する受信信号選択部と、前記受信信号選択部が選択した受信信号を出力する受信信号出力部と、を備える、伝送システムである。
（２）本発明の一態様は、前記送信側伝送装置は、映像の前記入力信号を受信して前記順序識別子を前記入力信号の各フレームに付加するビデオインタフェースと、前記自系送信信号と前記他系送信信号とが入力されていずれか一の送信信号を出力するスイッチと、前記スイッチから出力された送信信号を自系の前記通信回線へ送信する第１回線インタフェースと、前記自系送信信号を他系の前記送信側伝送装置へ送信する第２回線インタフェースと、を備える、上記（１）の伝送システムである。
【０００７】
（３）本発明の一態様は、冗長化された通信回線のうち一の前記通信回線に接続される送信側伝送装置において、送信順序を示す順序識別子を入力信号の各フレームに付加する順序識別子付加部と、前記入力信号に前記順序識別子が付加された自系送信信号を他系の前記送信側伝送装置へ送信する送信信号転送部と、前記自系送信信号と前記他系の前記送信側伝送装置から受信した他系送信信号とのうち、いずれか一の送信信号を選択する送信信号選択部と、前記送信信号選択部が選択した送信信号を、自系の前記通信回線へ送信する送信部と、自系又は他系の前記送信側伝送装置の障害内容に応じた送信信号選択設定を前記送信信号選択部に行う制御部と、を備える伝送装置である。
【０００８】
（４）本発明の一態様は、通信回線が冗長化された伝送システムの伝送方法であって、前記通信回線の各々に対応して設けられる送信側伝送装置及び受信側伝送装置を備え、各前記送信側伝送装置には同じ入力信号が入力され、前記送信側伝送装置が、送信順序を示す順序識別子を前記入力信号の各フレームに付加する順序識別子付加ステップと、前記送信側伝送装置が、前記入力信号に前記順序識別子が付加された自系送信信号を他系の前記送信側伝送装置へ送信する送信信号転送ステップと、前記送信側伝送装置が、前記自系送信信号と前記他系の前記送信側伝送装置から受信した他系送信信号とのうち、いずれか一の送信信号を選択する送信信号選択ステップと、前記送信側伝送装置が、前記送信信号選択ステップが選択した送信信号を、自系の前記通信回線へ送信する送信ステップと、前記送信側伝送装置が、自系又は他系の前記送信側伝送装置の障害内容に応じた送信信号選択設定を前記送信信号選択ステップに行う制御ステップと、前記受信側伝送装置が、自系の前記通信回線から受信した自系受信信号を他系の前記受信側伝送装置へ送信する受信信号転送ステップと、前記受信側伝送装置が、前記自系受信信号と前記他系の前記受信側伝送装置から受信した他系受信信号との各前記順序識別子に基づいたフレーム受信時刻差を解消させるように、前記自系受信信号又は前記他系受信信号を遅延させる遅延付加ステップと、前記受信側伝送装置が、前記遅延付加ステップから出力された前記自系受信信号と前記他系受信信号とのうち、非障害状態である一の系の受信信号を選択する受信信号選択ステップと、前記受信側伝送装置が、前記受信信号選択ステップが選択した受信信号を出力する受信信号出力ステップと、を含む伝送方法である。
【発明の効果】
【０００９】
本発明によれば、通信回線が冗長化された伝送システムにおいて、送信側伝送装置の障害発生に起因する通信断を抑制する効果が得られる。
【図面の簡単な説明】
【００１０】
【図１】一実施形態に係る映像伝送システムの構成例を示すブロック図である。
【図２】一実施形態に係る伝送方法の例を説明するための説明図である。
【図３】一実施形態に係る伝送方法の例を説明するための説明図である。
【図４】一実施形態に係る伝送方法の例を説明するための説明図である。
【図５】一実施形態に係る伝送方法の例を説明するための説明図である。
【図６】一実施形態に係る伝送方法の例を説明するための説明図である。
【発明を実施するための形態】
【００１１】
以下、図面を参照し、本発明の実施形態について説明する。なお、以下に示す実施形態では、伝送システムとして、映像信号を伝送する映像伝送システムを例に挙げて説明する。
【００１２】
図１は、一実施形態に係る映像伝送システムの構成例を示すブロック図である。映像伝送システム１は、マトリックスルータ（Matrix Router）３，５と、送信側伝送装置ＮＡＵ−ＡＳ，ＮＡＵ−ＢＳと、受信側伝送装置ＮＡＵ−ＡＲ，ＮＡＵ−ＢＲと、を備える。映像伝送システム１が利用する通信回線は冗長化されている。図１の例では、映像伝送システム１は、二重化された通信回線Ａ，Ｂを利用する。
【００１３】
Ａ系の送信側伝送装置ＮＡＵ−ＡＳ及び受信側伝送装置ＮＡＵ−ＡＲは、通信回線Ａに対応して設けられている。Ｂ系の送信側伝送装置ＮＡＵ−ＢＳ及び受信側伝送装置ＮＡＵ−ＢＲは、通信回線Ｂに対応して設けられている。
【００１４】
以下の説明において、Ａ系の送信側伝送装置（Ａ系送信側伝送装置）ＮＡＵ−ＡＳとＢ系の送信側伝送装置（Ｂ系送信側伝送装置）ＮＡＵ−ＢＳとを特に区別しないときは「送信側伝送装置ＮＡＵ−Ｓ」と称する。また、Ａ系の受信側伝送装置（Ａ系受信側伝送装置）ＮＡＵ−ＡＲとＢ系の受信側伝送装置（Ｂ系受信側伝送装置）ＮＡＵ−ＢＲとを特に区別しないときは「受信側伝送装置ＮＡＵ−Ｒ」と称する。また、Ａ系にとって、自系はＡ系であり、他系はＢ系である。Ｂ系にとって、自系はＢ系であり、他系はＡ系である。通信回線ＡはＡ系の通信回線（Ａ系通信回線）である。通信回線ＢはＢ系の通信回線（Ｂ系通信回線）である。
【００１５】
送信側のマトリックスルータ３には、入力映像信号Ｖｉｎが入力される。入力映像信号Ｖｉｎは、伝送フレーム形式の信号であって、複数の伝送フレームから構成される信号である。当該伝送フレームには、例えばＭＰＥＧ等の画像符号化方式の画像符号化信号などの信号が格納される。
【００１６】
マトリックスルータ３は、入力映像信号ＶｉｎをＡ系送信側伝送装置ＮＡＵ−ＡＳ及びＢ系送信側伝送装置ＮＡＵ−ＢＳの両方へ送信する。
【００１７】
マトリックスルータ５には、Ａ系受信側伝送装置ＮＡＵ−ＡＲの出力信号とＢ系受信側伝送装置ＮＡＵ−ＢＲの出力信号とが入力される。マトリックスルータ５は、Ａ系受信側伝送装置ＮＡＵ−ＡＲとＢ系受信側伝送装置ＮＡＵ−ＢＲとのうち非障害状態である一の系の受信側伝送装置ＮＡＵ−Ｒから出力された出力信号を選択して、出力映像信号Ｖｏｕｔとして出力する。
【００１８】
［送信側伝送装置］
Ａ系送信側伝送装置ＮＡＵ−ＡＳ及びＢ系送信側伝送装置ＮＡＵ−ＢＳには、マトリックスルータ３から同じ入力映像信号Ｖｉｎが入力される。Ａ系送信側伝送装置ＮＡＵ−ＡＳとＢ系送信側伝送装置ＮＡＵ−ＢＳとは同じ構成である。
【００１９】
送信側伝送装置ＮＡＵ−Ｓは、ビデオインタフェース１１と、順序識別子付加部１２と、スイッチ１３と、回線インタフェース１４と、制御部１５とを備える。
【００２０】
ビデオインタフェース１１は、マトリックスルータ３から入力映像信号Ｖｉｎを受信する。ビデオインタフェース１１は、受信した入力映像信号Ｖｉｎを順序識別子付加部１２へ送信する。
【００２１】
順序識別子付加部１２は、ビデオインタフェース１１から受信した入力映像信号Ｖｉｎに含まれる各伝送フレームに順序識別子を付加する。順序識別子は、伝送フレームの送信順序を示す識別子である。順序識別子付加部１２は、入力映像信号Ｖｉｎに順序識別子を付加した信号（以下、自系送信信号と称する）をスイッチ１３へ出力する。当該自系送信信号は、スイッチ１３の入力ポートＰ１に入力される。なお、ビデオインタフェース１１が順序識別子付加部１２を備えてもよい。
【００２２】
スイッチ１３は、入力ポートＰ１，Ｐ４と出力ポートＰ２，Ｐ３とを備える。スイッチ１３は、各入力ポートＰ１，Ｐ４と各出力ポートＰ２，Ｐ３との間の接続を任意に切り替える。スイッチ１３は、制御部１５からの設定（送信信号選択設定）に従って、各入力ポートＰ１，Ｐ４と各出力ポートＰ２，Ｐ３との間を接続する。スイッチ１３の入力ポートＰ１は、順序識別子付加部１２の出力ポートに接続される。スイッチ１３の入力ポートＰ４は、回線インタフェース１４のラインＬ２の装置側出力ポートに接続される。スイッチ１３の出力ポートＰ２は、回線インタフェース１４のラインＬ１の装置側入力ポートに接続される。スイッチ１３の出力ポートＰ３は、回線インタフェース１４のラインＬ２の装置側入力ポートに接続される。
【００２３】
回線インタフェース１４は、ラインＬ１，Ｌ２を備える。回線インタフェース１４のラインＬ１は、スイッチ１３の出力ポートＰ２から出力された送信信号を自系通信回線へ送信する。回線インタフェース１４のラインＬ２は、スイッチ１３の出力ポートＰ３から出力された信号（自系送信信号）を他系の送信側伝送装置ＮＡＵ−Ｓへ送信する。また、回線インタフェース１４のラインＬ２は、他系の送信側伝送装置ＮＡＵ−Ｓから受信した信号（他系送信信号）をスイッチ１３の入力ポートＰ４へ出力する。
【００２４】
制御部１５は、送信側伝送装置ＮＡＵ−Ｓの各部を制御する。制御部１５は、自系又は他系の送信側伝送装置ＮＡＵ−Ｓの障害内容に応じた送信信号選択設定をスイッチ１３に行う。
【００２５】
スイッチ１３は、出力ポートＰ３が入力ポートＰ１に入力された自系送信信号を固定的に出力するように、ポート間の接続の設定が行われる。一方、出力ポートＰ２については、入力ポートＰ１に入力された自系送信信号及び入力ポートＰ４に入力された他系送信信号のうちからいずれか一方の送信信号を出力ポートＰ２が出力するように、スイッチ１３に対して制御部１５から送信信号選択設定が行われる。
【００２６】
本実施形態において、送信側伝送装置ＮＡＵ−Ｓのスイッチ１３は、送信信号選択部に対応する。また、送信側伝送装置ＮＡＵ−Ｓの回線インタフェース１４のラインＬ１は、送信部に対応する。また、送信側伝送装置ＮＡＵ−Ｓの回線インタフェース１４のラインＬ２は、送信信号転送部に対応する。
【００２７】
［受信側伝送装置］
Ａ系受信側伝送装置ＮＡＵ−ＡＲは、Ａ系送信側伝送装置ＮＡＵ−ＡＳから送信された送信信号を、Ａ系通信回線Ａを介して受信する。Ｂ系受信側伝送装置ＮＡＵ−ＢＲは、Ｂ系送信側伝送装置ＮＡＵ−ＢＳから送信された送信信号を、Ｂ系通信回線Ｂを介して受信する。Ａ系受信側伝送装置ＮＡＵ−ＡＲとＢ系受信側伝送装置ＮＡＵ−ＢＲとは同じ構成である。
【００２８】
受信側伝送装置ＮＡＵ−Ｒは、回線インタフェース２１と、遅延付加部２２と、スイッチ２３と、ビデオインタフェース２４と、制御部２５とを備える。
【００２９】
回線インタフェース２１は、ラインＬ１，Ｌ２を備える。回線インタフェース２１のラインＬ１は、自系通信回線から受信した自系受信信号を、遅延付加部２２の遅延部Ｄ１及び回線インタフェース２１のラインＬ２の装置側入力ポートへ出力する。回線インタフェース２１のラインＬ２は、回線インタフェース２１のラインＬ１から出力された自系受信信号を他系の受信側伝送装置ＮＡＵ−Ｒへ送信する。また、回線インタフェース２１のラインＬ２は、他系の受信側伝送装置ＮＡＵ−Ｒから受信した他系受信信号を遅延付加部２２の遅延部Ｄ２へ出力する。
【００３０】
遅延付加部２２の遅延部Ｄ１には、回線インタフェース２１のラインＬ１から出力された自系受信信号が入力される。遅延付加部２２の遅延部Ｄ２には、回線インタフェース２１のラインＬ２から出力された他系受信信号が入力される。遅延部Ｄ１，Ｄ２は、入力された信号を遅延させて出力する。遅延部Ｄ１は、自系受信信号を遅延させて出力する。遅延部Ｄ２は、他系受信信号を遅延させて出力する。なお、遅延部Ｄ１，Ｄ２が信号を遅延させる遅延量は、ゼロ（遅延なし）であってもよい。
【００３１】
遅延付加部２２は、自系受信信号と他系受信信号との各順序識別子に基づいたフレーム受信時刻差を解消させるように、自系受信信号又は他系受信信号を遅延させる。各遅延部Ｄ１，Ｄ２の遅延量は、同じ順序識別子が付加された自系伝送フレームと他系伝送フレームとの間のフレーム受信時刻差に基づいて検出された伝送時間差から決定される。例えば、自系の伝送時間が他系の伝送時間よりも時間Ｔｄだけ多い場合、他系受信信号を時間Ｔｄだけ遅らせるために、遅延部Ｄ２の遅延量を遅延部Ｄ１の遅延量よりも時間Ｔｄだけ多くする。
【００３２】
遅延付加部２２の遅延部Ｄ１から出力された自系受信信号は、スイッチ２３の入力ポートＰ１１に入力される。遅延付加部２２の遅延部Ｄ２から出力された他系受信信号は、スイッチ２３の入力ポートＰ１２に入力される。
【００３３】
スイッチ２３は、入力ポートＰ１１，Ｐ１２と出力ポートＰ１３とを備える。スイッチ２３は、各入力ポートＰ１１，Ｐ１２と出力ポートＰ１３との間の接続を任意に切り替える。スイッチ２３は、制御部２５からの設定（受信信号選択設定）に従って、各入力ポートＰ１１，Ｐ１２と出力ポートＰ１３との間を接続する。スイッチ２３の入力ポートＰ１１は、遅延付加部２２の遅延部Ｄ１の出力ポートに接続される。スイッチ２３の入力ポートＰ１２は、遅延付加部２２の遅延部Ｄ２の出力ポートに接続される。スイッチ２３の出力ポートＰ１３は、ビデオインタフェース２４の入力ポートに接続される。
【００３４】
ビデオインタフェース２４は、スイッチ２３の出力ポートＰ１３から出力された受信信号を出力する。ビデオインタフェース２４から出力された受信信号は、マトリックスルータ５に入力される。マトリックスルータ５は、Ａ系受信側伝送装置ＮＡＵ−ＡＲとＢ系受信側伝送装置ＮＡＵ−ＢＲとのうち非障害状態である一の系の受信側伝送装置ＮＡＵ−Ｒから出力された受信信号を選択して、出力映像信号Ｖｏｕｔとして出力する。
【００３５】
制御部２５は、受信側伝送装置ＮＡＵ−Ｒの各部を制御する。制御部２５は、非障害状態である一の系の受信信号を選択する受信信号選択設定をスイッチ２３に行う。
【００３６】
本実施形態において、受信側伝送装置ＮＡＵ−Ｒのスイッチ２３は、受信信号選択部に対応する。また、受信側伝送装置ＮＡＵ−Ｒの回線インタフェース２１のラインＬ２は、受信信号転送部に対応する。また、受信側伝送装置ＮＡＵ−Ｒのビデオインタフェース２４は、受信信号出力部に対応する。
【００３７】
［伝送方法］
図２から図６を参照して本実施形態に係る伝送方法を説明する。図２から図６は、本実施形態に係る伝送方法の例を説明するための説明図である。図２から図６には、５個の系選択位置ｓｅｌ１−ｓｅｌ５が示されている。系選択位置ｓｅｌ１−ｓｅｌ５は、Ａ系又はＢ系のいずれか一の系の信号を選択する位置である。
【００３８】
系選択位置ｓｅｌ１は、Ａ系送信側伝送装置ＮＡＵ−ＡＳのスイッチ１３の出力ポートＰ２から出力する信号の選択に対応するものである。系選択位置ｓｅｌ１では、Ａ系送信側伝送装置ＮＡＵ−ＡＳのスイッチ１３において、出力ポートＰ２から出力する送信信号（Ａ系通信回線Ａに送信される送信信号）として、入力ポートＰ１に入力される自系送信信号（Ａ系送信信号）及び入力ポートＰ４に入力される他系送信信号（Ｂ系送信信号）の中から、いずれか一の送信信号を選択する。
【００３９】
系選択位置ｓｅｌ２は、Ｂ系送信側伝送装置ＮＡＵ−ＢＳのスイッチ１３の出力ポートＰ２から出力する信号の選択に対応するものである。系選択位置ｓｅｌ２では、Ｂ系送信側伝送装置ＮＡＵ−ＢＳのスイッチ１３において、出力ポートＰ２から出力する送信信号（Ｂ系通信回線Ｂに送信される送信信号）として、入力ポートＰ１に入力される自系送信信号（Ｂ系送信信号）及び入力ポートＰ４に入力される他系送信信号（Ａ系送信信号）の中から、いずれか一の送信信号を選択する。
【００４０】
系選択位置ｓｅｌ３は、Ａ系受信側伝送装置ＮＡＵ−ＡＲのスイッチ２３の出力ポートＰ１３から出力する信号の選択に対応するものである。系選択位置ｓｅｌ３では、Ａ系受信側伝送装置ＮＡＵ−ＡＲのスイッチ２３において、出力ポートＰ１３から出力する受信信号（マトリックスルータ５に出力される受信信号）として、入力ポートＰ１１に入力される自系受信信号（Ａ系受信信号）及び入力ポートＰ１２に入力される他系受信信号（Ｂ系受信信号）の中から、非障害状態である一の系の受信信号を選択する。
【００４１】
系選択位置ｓｅｌ４は、Ｂ系受信側伝送装置ＮＡＵ−ＢＲのスイッチ２３の出力ポートＰ１３から出力する信号の選択に対応するものである。系選択位置ｓｅｌ４では、Ｂ系受信側伝送装置ＮＡＵ−ＢＲのスイッチ２３において、出力ポートＰ１３から出力する受信信号（マトリックスルータ５に出力される受信信号）として、入力ポートＰ１１に入力される自系受信信号（Ｂ系受信信号）及び入力ポートＰ１２に入力される他系受信信号（Ａ系受信信号）の中から、非障害状態である一の系の受信信号を選択する。
【００４２】
系選択位置ｓｅｌ５は、マトリックスルータ５から出力する出力映像信号Ｖｏｕｔの選択に対応するものである。系選択位置ｓｅｌ５では、Ａ系受信側伝送装置ＮＡＵ−ＡＲとＢ系受信側伝送装置ＮＡＵ−ＢＲとのうち非障害状態である一の系の受信側伝送装置ＮＡＵ−Ｒから出力された出力信号を選択して、出力映像信号Ｖｏｕｔとして出力する。
【００４３】
（伝送方法の例１；送信側伝送装置のビデオインタフェースに障害発生の場合の例）
図２から図４を参照して伝送方法の例１を説明する。伝送方法の例１は、送信側伝送装置ＮＡＵ−Ｓのビデオインタフェース１１に障害が発生する場合の例である。
【００４４】
まず図２に示される状態は、障害が発生していない状態である。図２において、系選択位置ｓｅｌ１及びｓｅｌ２では、Ａ系送信信号を選択している。また、系選択位置ｓｅｌ３及びｓｅｌ４では、Ａ系受信信号を選択している。系選択位置ｓｅｌ５では、Ａ系受信側伝送装置ＮＡＵ−ＡＲを選択している。この図２に示される状態では、入力映像信号ＶｉｎがＡ系送信信号として各送信側伝送装置ＮＡＵ−Ｓから各通信回線Ａ，Ｂを介して各受信側伝送装置ＮＡＵ−Ｒへ送信され、Ａ系受信側伝送装置ＮＡＵ−ＡＲが受信したＡ系受信信号が、マトリックスルータ５から出力映像信号Ｖｏｕｔとして出力される。
【００４５】
次いで図３に示されるように、Ａ系送信側伝送装置ＮＡＵ−ＡＳのビデオインタフェース１１に障害が発生する。この障害によって、各通信回線Ａ，Ｂを介して送信されるＡ系送信信号が異常となるので、Ａ系受信信号及びＢ系受信信号が両方とも異常となることから、系選択位置ｓｅｌ３及びｓｅｌ４では選択値が不定になる。これにより、マトリックスルータ５からは正常な出力映像信号Ｖｏｕｔが出力されない。
【００４６】
次いで図４において、Ａ系送信側伝送装置ＮＡＵ−ＡＳのビデオインタフェース１１の障害発生が検出されると、各送信側伝送装置ＮＡＵ−Ｓの制御部１５は、スイッチ１３に対して、Ｂ系送信信号を選択するように送信信号選択設定を行う。この送信信号選択設定によって、系選択位置ｓｅｌ１及びｓｅｌ２では、Ｂ系送信信号を選択する。これにより、Ｂ系送信信号が各通信回線Ａ，Ｂを介して送信されると、Ａ系受信信号及びＢ系受信信号が両方とも正常となることから、ここでの一例として系選択位置ｓｅｌ３及びｓｅｌ４ではＢ系受信信号を選択する。これにより、マトリックスルータ５からはＢ系受信信号が正常な出力映像信号Ｖｏｕｔとして出力される。
【００４７】
ビデオインタフェース１１の障害発生を通知するアラーム信号は、当該ビデオインタフェース１１から各系の制御部１５に出力される。制御部１５は、当該アラーム信号に応じて、スイッチ１３に対して、Ｂ系送信信号を選択するように送信信号選択設定を行う。
【００４８】
なお、上述した伝送方法の例１では、現用系としてＡ系の送信側伝送装置ＮＡＵ−Ｓのビデオインタフェース１１に障害が発生した場合を例に挙げたが、現用系としてＢ系の送信側伝送装置ＮＡＵ−Ｓのビデオインタフェース１１に障害が発生した場合も同様にして、スイッチ１３に対して、予備系であるＡ系送信信号を選択するように送信信号選択設定を行えばよい。
【００４９】
上述した伝送方法の例１によれば、現用系の送信側伝送装置ＮＡＵ−Ｓのビデオインタフェース１１に障害が発生した場合に、予備系の送信信号を各系の送信側伝送装置ＮＡＵ−Ｓから各通信回線Ａ，Ｂを介して各系の受信側伝送装置ＮＡＵ−Ｒへ送信することができる。これにより、送信側伝送装置ＮＡＵ−Ｓの障害発生に起因する通信断を抑制することができる。
【００５０】
なお、映像伝送システム１の保守者の端末に対してビデオインタフェース１１の障害発生を通知するアラーム信号を出力し、保守者の端末操作によって、制御部１５からスイッチ１３に対して、予備系の送信信号を選択するように送信信号選択設定を行うようにしてもよい。この場合であっても、通信により当該送信信号選択設定を行うことができるので、保守者が現地に出向いて送信側伝送装置ＮＡＵ−Ｓのビデオインタフェース１１を交換したり又は修理したりするよりも、比較的短期間で、正常な映像信号の伝送を復旧させることができる。
【００５１】
（伝送方法の例２；送信側伝送装置の回線インタフェースに障害発生の場合の例）
図５，図６を参照して伝送方法の例２を説明する。伝送方法の例２は、送信側伝送装置ＮＡＵ−Ｓの回線インタフェース１４のラインＬ１（自系通信回線へ送信信号を出力するインタフェース）に障害が発生する場合の例である。
【００５２】
まず図５に示される状態は、障害が発生していない状態である。図５において、系選択位置ｓｅｌ１及びｓｅｌ２では、Ｂ系送信信号を選択している。また、系選択位置ｓｅｌ３及びｓｅｌ４では、Ｂ系受信信号を選択している。系選択位置ｓｅｌ５では、Ａ系受信側伝送装置ＮＡＵ−ＡＲを選択している。この図５に示される状態では、入力映像信号ＶｉｎがＢ系送信信号として各送信側伝送装置ＮＡＵ−Ｓから各通信回線Ａ，Ｂを介して各受信側伝送装置ＮＡＵ−Ｒへ送信され、Ａ系受信側伝送装置ＮＡＵ−ＡＲが受信したＢ系受信信号が、マトリックスルータ５から出力映像信号Ｖｏｕｔとして出力される。
【００５３】
次いで図６に示されるように、Ｂ系送信側伝送装置ＮＡＵ−ＢＳの回線インタフェース１４のラインＬ１に障害が発生する。この障害によって、Ｂ系通信回線Ｂには正常な送信が行われないので、Ｂ系通信回線Ｂを介して受信されるＢ系受信信号が異常となることから、系選択位置ｓｅｌ３及びｓｅｌ４では非障害状態であるＡ系受信信号を選択する。これにより、入力映像信号ＶｉｎがＢ系送信信号としてＡ系送信側伝送装置ＮＡＵ−ＡＳからＡ系通信回線Ａを介してＡ系受信側伝送装置ＮＡＵ−ＡＲへ送信され、Ａ系受信側伝送装置ＮＡＵ−ＡＲが受信したＡ系受信信号が、マトリックスルータ５から正常な出力映像信号Ｖｏｕｔとして出力される。
【００５４】
なお、上述した伝送方法の例２では、現用系としてＢ系の送信側伝送装置ＮＡＵ−Ｓの回線インタフェース１４のラインＬ１に障害が発生した場合を例に挙げたが、現用系としてＡ系の送信側伝送装置ＮＡＵ−Ｓの回線インタフェース１４のラインＬ１に障害が発生した場合も同様にして、現用系のＡ送信信号を予備系のＢ系送信側伝送装置ＮＡＵ−ＢＳから予備系のＢ系通信回線Ｂを介して予備系のＢ系受信側伝送装置ＮＡＵ−ＢＲへ送信することができる。
【００５５】
上述した伝送方法の例２によれば、現用系の送信側伝送装置ＮＡＵ−Ｓの回線インタフェース１４のラインＬ１に障害が発生した場合に、現用系の送信信号を予備系の送信側伝送装置ＮＡＵ−Ｓから予備系の通信回線を介して予備系の受信側伝送装置ＮＡＵ−Ｒへ送信することができる。これにより、送信側伝送装置ＮＡＵ−Ｓの障害発生に起因する通信断を抑制することができる。
【００５６】
上述したように本実施形態によれば、通信回線が冗長化された映像伝送システム１において、送信側伝送装置ＮＡＵ−Ｓの障害発生に起因する通信断を抑制する効果が得られる。これにより、例えば国際間映像伝送サービスにおいて安定した映像伝送を提供することに寄与することができる。
【００５７】
以上、本発明の実施形態について図面を参照して詳述してきたが、具体的な構成はこの実施形態に限られるものではなく、本発明の要旨を逸脱しない範囲の設計変更等も含まれる。
【００５８】
上述した実施形態では、通信回線が二重化された伝送システムに適用したが、通信回線が三重化以上に冗長化された伝送システムに適用してもよい。
【００５９】
また、上述した実施形態では、映像信号を伝送する映像伝送システムに適用したが、映像信号以外の他の種類の信号を伝送する伝送システムに適用してもよい。
【符号の説明】
【００６０】
１…映像伝送システム、３，５…マトリックスルータ、１１，２４…ビデオインタフェース、１２…順序識別子付加部、１３，２３…スイッチ、１４，２１…回線インタフェース、１５，２５…制御部、２２…遅延付加部、Ａ，Ｂ…通信回線、ＮＡＵ−ＡＳ，ＮＡＵ−ＢＳ…送信側伝送装置、ＮＡＵ−ＡＲ，ＮＡＵ−ＢＲ…受信側伝送装置
【図１】
2020061683.tif 000003
【図２】
2020061683.tif 000004
【図３】
2020061683.tif 000005
【図４】
2020061683.tif 000006
【図５】
2020061683.tif 000007
【図６】
2020061683.tif 000008